(57)【特許請求の範囲】
【請求項１】
四角形の偏平状箱体であり、その上面壁をなす種子を吸着するための空気吸引孔が一定配列状に形成された種子吸着用平面板の下辺部に、この平面上の種子群を一時的に収容させるためのポケット部を設けてなる種子吸着盤を具備し、且つこの平面板の裏面と箱体の底面壁との空間ｈの左右一方の側面壁に空気吸着管を接続したものとなすと共に、
前記平面板の空気吸引孔群に対応して配置されたポット部を有する育苗トレイを特定位置で水平に支持するものとした支持台装置を備え、且つ該支持台装置には育苗トレイ支持範囲よりも前方でこの支持範囲の左右方向概ね中央位置の一定高さ位置に支持棒を介して球面支持体を設けると共に、前記支持範囲の前方左右側に受け部材を手前上方へ張出し状に対状に設け、
一方、種子吸着盤には底面盤下面に前記球面支持体が嵌め込まれる係合部材を設け、左右各側面のポケット部近傍個所には球面支持体が係合部材に嵌め込まれた状態の下で前記受け部材により支持され且つ前記平面板を傾斜状に保持するものとした支軸を設けた構成の播種機に於いて、
種子吸着用平面板の裏面上辺部箇所に対し、上辺部横巾寸法と凡そ同巾寸法の帯板を平行配設し、電磁石モータによる電気振動装置を箱体裏面側に固定させると共に、該帯板の中央箇所に電気振動装置の振動軸を取付けることにより、上記帯板を介して種子吸着用平面板に微振動が伝達されるものとなしたことを特徴とする播種機。
【発明の詳細な説明】
【０００１】
【発明の属する技術分野】
本発明は、野菜、花などの種子を育苗トレイの各ポット部に能率的に播種できるように播種機に関する。
【０００２】
【従来の技術】
本発明者は上記播種機として、先に特許出願を行い、これは特許第２９３９８０６号として特許登録された。この装置は種子を吸着するための空気吸引孔を一定配列状に形成された種子吸着用平面板を具備すると共に、前記平面板の一辺部にこの平面板上の種子群を一時的に収容させるためのポケット部を設けてなる種子吸着盤と、前記空気吸引孔郡に対応して配置されたポット部を有する育苗トレイを特定位置に水平状に支持するものとした播種板支持台装置とを備え、播種板支持台装置には育苗トレイ支持範囲よりも前方でこの支持範囲の左右方向概ね中央位置の一定高さ位置に球面支持体を設けると共に、前記支持範囲の左右側に受け部材を対状に設け、一方種子吸着盤には底面壁下面に前記球面支持体が嵌め込まれる係合部材を設け、他方左右各側面のポケット部近傍個所に、球面支持体が係合部材に嵌め込まれた状態の下で前記受け部材により支持され、且つ前記平面板を傾斜状に保持するものとした支軸を設けた構成である。
【０００３】
【発明が解決しようとする課題】
上記発明は独特な構成で簡便な操作と共に優れた作用効果の得られるものであるが、種子には多種類のものがあって、特に滑りの悪い種子に対し本発明は種子吸着盤に対する滑り作用を高めて作業性を良好ならしめるべく改良し、一層の作業効率の向上を図らんとするものである。
【０００４】
【課題を解決するための手段】
本発明は、四角形の偏平状箱体であり、その上面壁をなす種子を吸着するための空気吸引孔が一定配列状に形成された種子吸着用平面板の下辺部に、この平面上の種子群を一時的に収容させるためのポケット部を設けてなる種子吸着盤を具備し、且つこの平面板の裏面と箱体の底面壁との空間ｈの左右一方の側面壁に空気吸着管を接続したものとなすと共に、前記平面板の空気吸引孔群に対応して配置されたポット部を有する育苗トレイを特定位置で水平に支持するものとした支持台装置を備え、且つ該支持台装置には育苗トレイ支持範囲よりも前方でこの支持範囲の左右方向概ね中央位置の一定高さ位置に支持棒を介して球面支持体を設けると共に、前記支持範囲の前方左右側に受け部材を手前上方へ張出し状に対状に設け、一方、種子吸着盤には底面盤下面に前記球面支持体が嵌め込まれる係合部材を設け、左右各側面のポケット部近傍個所には球面支持体が係合部材に嵌め込まれた状態の下で前記受け部材により支持され且つ前記平面板を傾斜状に保持するものとした支軸を設けた構成の播種機に於いて、種子吸着用平面板の裏面上辺部箇所に対し、上辺部横巾寸法と凡そ同巾寸法の帯板を平行配設し、電磁石モータによる電気振動装置を箱体裏面側に固定させると共に、該帯板の中央箇所に電気振動装置の振動軸を取付けることにより、上記帯板を介して種子吸着用平面板に微振動が伝達されるものとなしたことを特徴とする。
【０００５】
このさい、種子吸着用平面板と帯板との間にウレタン樹脂やゴムなどの弾性材を介在させたり、帯板の左右内方寄り箇所の帯板裏面と底面壁間に帯板を下方から支持するための支持台を設け、各支持台と底面上との接触面に対し振動が箱体底面に伝播しないよう防振ゴムを介在させた構成にする。
【０００６】
【発明の実施の形態】
本発明に係る播種機の一実施例を図１〜図４を参照して説明する。
図１及び図２に於いて、１は種子吸着盤で、２は育苗トレイ３を支持するための支持台装置である。
【０００７】
先ず、種子吸着盤１について説明する。
全体は四角形の偏平状箱体となしてある。箱体の上面壁をなす種子吸着用平面板４には一定配列となされ直径凡そ１．５ｍｍ程度以下となされた多数の空気吸引孔４ａが形成してあり、この平面板４と底面壁５との間の空間ｈ（図３参照）には箱体の一方の側面壁６ａに形成された接続口７を介して空気吸引管８が接続されている。
【０００８】
種子吸着用平面板４の上面の周囲には周壁部ａが鍔状に突出形成されており、このさい周壁部ａの下辺部には図３に示すように前記平面板４に沿わせた面部ｂ１と前記平面板側へ向かう面部ｂ２とが付加されてポケット部９が形成されている。
【０００９】
そして箱体の底面壁５の下面の概ね中央には凹み形状となされた係合部材１０が設けてあり、また箱体の左右の側面壁６ａ、６ｂのポケット部９寄り側には左右方向へ張り出された支軸１１、１１が設けてある。
【００１０】
次に支持台装置２について説明する。
この装置２は、アングル材ｃを方形状に枠組みしてなる台枠１２と、この台枠１２の手前側及び前方側に装着された手前側位置決め板１３及び前方側位置決め板１４と、手前側及び前方側位置決め板１３、１４の間に位置した台枠１２部分に固着された載置板１５と、この載置板１５の左側となる台枠１２部分に設けた左側位置決め板１６とを備えている。
【００１１】
このさい、手前側位置決め板１３、前方側位置決め板１４及び左側位置決め板１６の各々は概ね鈎形となし、その水平支持面部ｄ１に長孔ｅを形成し、この長孔ｅに挿通されるボルトとこれに螺合される蝶ナット１７を介して台枠１２に長孔ｅ方向の位置調整可能に装着されるのであり、これら位置決め板１３、１４、１６の垂直面部ｄ２で囲まれた範囲でしかも載置板１５の上方となる個所が育苗トレイ支持範囲をなす。
【００１２】
台枠１２の前記育苗トレイ支持範囲よりも前部には起立枠１８が形成してあり、この起立枠１８は前記育苗トレイ支持範囲の左右側に配置した一対の支柱部材ｇ１、ｇ２とこれら支柱部材ｇ１、ｇ２の上端を結合させた水平部材ｇ３からなっている。
【００１３】
一対の支柱部材ｇ１、ｇ２の各々の上部には受け部材１９を手前上方へ張出し状に固定し、また図４に示すように水平部材ｇ３の概ね中央個所には支持棒２０を起立させ、この支持棒２０の先端に球面支持体２１を固定させている。
さらに台枠１２の前記育苗トレイ支持範囲よりも手前部でこの支持範囲の左右側に種子吸着盤用支持部２２をなす支柱部材が対状に設けてある。
【００１４】
上記した支持台装置２の右側には図２に示すように取付板２３を介して開閉弁２４及び空気調節弁２５が装着してあり、前記空気吸引管８はこれら開閉弁２４及び空気調節弁２５を介して図示しない空気吸引装置に接続されている。
また上記育苗トレイ３は樹脂材で成形され高さ数ｃｍ程度で平面視四角状となされたもので、床土を入れるための多数のポット部３ａが前後左右方向の整列状態に配置されたものである。
【００１５】
上記は先に本件特許出願人が権利取得した特許第２９３９８０６号の装置構成と同様であるが、本発明では上記に於ける種子の吸着用平面板４を電気振動装置により、微振動させるようになすのであり、次の通り構成してなる。
【００１６】
２６は種子吸着用平面板４のポケット部９と反対側の上辺部裏面箇所を微振動させるように配置される帯板であって、種子吸着用平面板４の横巾寸法と凡そ同巾寸法に形成し、種子吸着用平面板４の上辺部裏面側へ平行配設させてなる。２７は電気振動装置であって、箱体５の裏面側に固着させると共に、内部には電磁石モータ２７ａを備え且つその振動軸２７ｂは帯板２６の中央位置に連結させたものとなしてある。
【００１７】
このさい、帯板２６が比較的長い物となる場合は、中央位置から他端部へ向う途中に対し該帯板を下方から支持するための支持台２８ａ，２８ａが設けてある。一方、支持台２８ａ，２８ｂの箱体５底面上との接触面には振動が箱体底面に伝播しないよう防振ゴム２９が介在させてあり、３０は帯板２６の適当間隔位置に設けたウレタン樹脂やゴムなどの弾性材であって、これを介して種子吸着用平面板４の裏面に当接されるようになしてあり、３１は箱体の側壁面６ａに設けた上記電磁石モータ２７ａの振動用スイッチである。他方、種子吸着盤１の箱体を手で持って揺動させるさいに、適宜該スイッチ３１をオン・オフさせることにより種子吸着用平面板４を微振動させるようになすのである。
【００１８】
本発明は上記の如き構成であって、次に全体的な使用について説明すると、初めに蝶ナット１７を操作して、３つの位置決め板１３、１４、１６を必要に応じて移動させることにより、支持台装置２に於ける育苗トレイ支持範囲の位置や大きさを適当に決定する。
【００１９】
この後、各ポット部３ａに床土の入れられた１つの育苗トレイ３を上記育苗トレイ支持範囲に上方から載置し、その左側面を左側位置決め板１６に密接させる。これにより育苗トレイ３は底面を載置板１５に支持され、左側面を左側位置決め板１６に位置決めされ、前後側面を前方側及び手前側の位置決め板１３、１４に位置決めされるほか、周縁を３つの位置決め板１３、１４、１６の上縁で支持されるものとなる。
【００２０】
一方、種子吸着盤１は図１に示すようにこれの支軸１１、１１を受け部材１９、１９の溝内に嵌め込んだ状態で支軸１１、１１廻りへ揺動させることにより、球面支持体２１が係合部材１０に嵌まり込んだ状態とする。これにより種子吸着盤１は支持台装置２により図１に示す傾斜状態に保持される状態となる。
【００２１】
この状態の下で、種子吸着盤１の種子吸着用平面板４の上に播種すべき例えば直径０．３〜１ｍｍ程度の野菜などの種子ｗ（図２参照）の多数を供給する。このように供給された種子ｗ群は自重により種子吸着用平面板４上を下方へ流動してポケット部９に収容される。
【００２２】
また図示しない空気吸引装置を作動させ、開閉弁２４を開放すると共に絞り弁２５を適当に絞り操作して、種子吸着盤１の種子吸着用平面板４と底面壁５との間の空間ｈ（図３参照）から空気を適当流量で吸引させる。これにより各空気吸引孔４ａから適当な勢いで空気が吸引されるものとなる。
【００２３】
次に種子吸着盤１が係合部材１０を介して球面支持体２１に支持された状態の下で、種子吸着盤１のポケット部９近傍の左右部を手で持って手前に引き出すようにし、その支軸１１、１１を支持台装置２の受け部材１９、１９から離脱させ、さらにポケット部９近傍の左右部を上方へ揺動させて、種子吸着盤１を概ね水平姿勢とする。このさい、種子吸着盤１の重量は球面支持体２１に支持されるため、作業者の手には大きな荷重は作用するものとならない。
【００２４】
この後、図４に示すように種子吸着盤１を持った手を上下に移動させることにより、種子吸着盤１を前後左右方向へ適当に繰り返し揺動させる。これにより、ポケット部９内の種子ｗ群は種子吸着用平面板４上を前後左右へ流動し、各空気吸引孔４ａ上に位置した種子ｗがこの吸引孔４ａに作用する負圧により吸着され、遂には全ての空気吸引孔４ａに一つ或いは数個の種子ｗが吸着されるものとなるのであるが、上記作業中に皮質の摩擦抵抗が大で滑りの悪い種子などの場合は、随時振動用スイッチ３１を入力させて種子吸着用平面板４を微振動させることにより、吸引孔４ａで吸着された種子ｗ以外の浮動種子の活動を容易ならしめ、これら種子ｗ群の未着吸引孔４ａへの吸着が迅速に行われるようにするのである。
【００２５】
このような種子ｗの吸着操作を適当時間に亘って実施した後、種子吸着盤１を持った手を降下させると、空気吸引孔４ａに吸着されている種子ｗ以外の種子ｗは自重により種子吸着用平面板４上を下方へ降下して再びポケット部９内に収容される。
【００２６】
こうして種子ｗの吸着が完全に行われた後は、種子吸着盤１を手で持って支軸１１、１１廻りの下方へ揺動させて反転状態となす。これにより種子吸着盤１の手前部の左右端部は種子吸着盤用支持部２２、２２に支持される。これにより、種子吸着盤１の種子吸着用平面板４は育苗トレイ３と近接して平行状に対向すると共に、一つの空気吸引孔４ａと一つのポット部３ａとが対応する関係となる。  このさいの操作では、種子吸着盤１の重量が受け部材１９、１９でも支持されるため、作業者の手に大きな荷重は作用するものとならない。
【００２７】
次に開閉弁２４を閉鎖する。これにより各空気吸引孔４ａの空気吸引力は消失するため、各空気吸引孔４ａに吸着された種子ｗは自由落下し、その対応するポット部３ａ内の床土上に達する。
【００２８】
このさい種子ｗが空気吸引孔４ａに引っ掛かって自然に落下しないことがあるような場合、これの対策として作業者は種子吸着盤１の側部を手で軽くトントンと叩くか或いは振動用スイッチ３１をオンすることにより種子吸着用平面板４を振動させるようにする。これにより空気吸引孔４ａに引っ掛かっている種子ｗは確実に分離されて落下するものとなる。この落下した種子ｗは各ポット部３ａに確実に播種されるのである。
【００２９】
【発明の効果】
上記した本発明によれば、種子吸着盤に電気振動装置の作動により滑りの滑りの悪い種子であっても迅速且つ適確に種子吸着用平面板に対し種子を吸着させることを可能とするのである。帯板を種子吸着用平面板の上辺裏面部に当接させることは、種子吸着用平面板の該部分に空気吸引孔の穿設されないものとなされていることから、これ以外箇所の設置に比べて空気吸引孔を裏面から塞ぐようにすることが無くてその吸着効率を低下させたりすることのないものとなる。
【図面の簡単な説明】
【図１】  本発明の一実施例に係る播種機の斜視図である。
【図２】  上記播種機により種子吸着操作を行っている状態を示す図である。
【図３】  Ａは上記播種機の種子吸着盤の中央横断面図、Ｂは同縦断面図である。
【図４】  上記播種機に於ける種子吸着盤の水平支持状態を示す図である。
【符号の説明】
１  種子吸着盤
２  支持台装置
３  育苗トレイ
３ａ  ポット部
４  種子吸着用平面板
４ａ  空気吸引孔
９  ポケット部
１０  係合部材
１１  支軸
１９  受け部材
２１  球面支持体
２２  種子吸着盤用支持部
２６  帯板
２７  電磁モータ
２９  防振ゴム
３０  弾性材
３１  振動用スイッチ
【図１】
0003845669.tif 000002
【図２】
0003845669.tif 000003
【図３】
0003845669.tif 000004
【図４】
0003845669.tif 000005